(57)【要約】【課題】ユーザの使い勝手を向上した表示方法および通信端末を提供することを目的とする。【解決手段】非選択状態にある選択肢は一部のみを表示し選択肢の個数や選択状態を把握しやすくするとともに、左右キーで選択状態を変更し上下キーで設定項目を切換えることにより画面の遷移などを少なくして、設定項目の一覧性や操作性の改善を図る。【選択図】  図２
2005025540.tif 000002
【特許請求の範囲】
【請求項１】
複数の選択肢を表示する表示手段と、
ユーザが前記表示手段に表示された前記複数の選択肢の中の１つを選択する際に用いる操作手段と、
前記複数の選択肢の中で選択されていない非選択状態にある選択肢を、選択されている選択状態にある選択肢よりも簡略化して表示するように前記表示手段を制御する制御手段と、
を備えていることを特徴とする端末装置。
【請求項２】
前記制御手段は、前記非選択状態にある選択肢の文字列の一部分を抜き出して表示するように制御することを特徴とする請求項１に記載の端末装置。
【請求項３】
前記文字列の一部分は、前記文字列の先頭部または特徴部であることを特徴とする請求項２に記載の端末装置。
【請求項４】
前記制御手段は、前記非選択状態にある選択肢の文字列を全て省略し、枠組みを表示するように制御することを特徴とする請求項１に記載の端末装置。
【請求項５】
複数のメニュー項目を表示する表示方法であって、
前記複数のメニュー項目の中で、ユーザが選択することができない非選択状態にあるメニュー項目と、ユーザが選択することができる選択状態にあるメニュー項目とを１つの表示画面に表示し、
前記非選択状態にあるメニュー項目を前記選択状態にあるメニュー項目よりも簡略化して表示することを特徴とする表示方法。
【発明の詳細な説明】
【０００１】
【発明の属する技術分野】
本発明は、画面上に複数の項目を表示する表示方法およびこれを用いた端末装置に関する。
【０００２】
【従来の技術】
画面上の所定領域に、多くのメニュー項目を表示するために、メニュー項目の文字列を表示する際の文字サイズを縮小したり、メニュー項目の文字列から一部の文字を削除して表示する装置が提案されている（例えば、特許文献１参照）。
【０００３】
【特許文献１】
特開２０００−１２２７８３号公報
【０００４】
【発明が解決しようとする課題】
携帯電話等の携帯端末装置の画面は小さいため、文字サイズを縮小すると、難くなるという問題がある。また、メニュー項目の文字から表示する文字を一律に削除して表示すると、メニュー項目の内容をユーザが理解できない場合がある。
【０００５】
また、多くの項目を表示画面をスクロールさせることにより表示したり、別画面に分けて階層的に表示すると、操作手順が増えて操作性が悪くなるという問題がある。また、別画面への切換えを行なわずに一画面上で複数の設定内容を確認しようとする場合は、画面の表示領域の制約から設定する項目名と現在の設定値しか表示できない場合が多く、どのような選択肢の中から現在の設定値が選択されたのかが分かり難く、使い勝手が悪いという問題がある。
【０００６】
本発明は、上記課題を解決するために、ユーザの使い勝手を向上した表示方法および通信端末を提供することを目的とする。
【０００７】
【課題を解決するための手段】
上記課題を解決するために、本発明にかかる端末装置は、複数の選択肢を表示する表示手段と、ユーザが前記表示手段に表示された記複数の選択肢の中の１つを選択する際に用いる操作手段と、前記複数の選択肢の中で選択されていない非選択状態にある選択肢を選択されている選択状態にある選択肢よりも簡略化して表示するように前記表示手段を制御する制御手段と、を備えていることを特徴とする。
【０００８】
このように、非選択状態にある選択肢は簡略化して表示することにより、選択肢の個数や選択状態を把握しやすくするとともに、画面の遷移などを少なくして、設定項目の一覧性や操作性の改善を図る。
【０００９】
【発明の実施の形態】
以下、本発明の実施の形態を、図面を用いて説明する。
【００１０】
図１は、携帯電話やＰＤＡ（Ｐｅｒｓｏｎａｌ  Ｄｉｇｉｔａｌ  Ａｓｓｉｓｔａｎｃｅ）等の端末装置の構成を示す図である。２１はメニューを表示する表示部、２２は番号を入力するための数字キーを備えたテンキー部、２３は上カーソルキー、２４は下カーソルキー、２５は左カーソルキー、２６は右カーソルキー、２７は確定操作などを行なう実行キーである。
【００１１】
図２は、図１に示す通信端末でのメニュー操作および画面表示例を示すものである。図２では、画面設定に関連する設定値を設定する場合を例にしているが、本発明の適用を画面設定に限定するものではなく、複数メニュー項目を選択操作する場合に適用しても良い。
【００１２】
まず、設定画面１１が表示される。設定項目として「時計表示」「状態表示」「システムカラー」があり、設定画面１１ではそれぞれの設定項目に対してデフォルト値が選択された状態になっている。選択項目のうち、「時計表示」が選択可能な状態である場合は、その項目名１１１の色または背景色を「状態表示」「システムカラー」と変えて表示する。これにより、「時計表示」が設定値の変更が可能な状態であることをユーザは知ることができる。
【００１３】
時計表示の選択肢は「表示なし、フォント大、フォント小、時刻のみ」の４個の中から１個を選択するようになっている。設定画面１１は「表示なし」が選択されている状態を示しており、選択肢１１２の背景色などを他の選択肢と変えることで区別し、選択状態にあることを示している。選択されていない項目は、選択肢１１３，１１４，１１５のように選択肢が存在することを示すために枠の表示と内容を示す省略化された文字が表示されている。一方、選択状態の選択肢は選択肢名が省略されずに表示され、背景色の変化などで選択状態にあることがわかるようになっている。
【００１４】
左右カーソルキー２５，２６を押すことにより選択状態にある選択肢を変更することができる。設定画面１１の状態から右カーソルキーを押すと、設定画面１２のように選択状態が右隣の選択肢１１７に移り、「表示なし」は選択肢１１２から非選択で省略表示の表示に変わり、「フォント大」が非選択の省略表示から選択状態の選択肢１１７に変わる。同様に設定画面１２の状態から右カーソルキーを押すと設定画面１３のように選択状態が右隣の選択肢１１７に移り、設定画面１３の状態から右カーソルキーを押すと設定画面１４のように選択状態が右隣の選択肢１１８に移る。また、左カーソルキーを押すとそれぞれ逆方向に遷移して選択状態を変えることができる。
【００１５】
選択状態が右端にある設定画面１４で右カーソルキーを押した場合は、操作無効として状態は変わらないようになっているが、左端にある設定画面１１の状態に遷移して循環するようにしてもよい。同様に左端にある設定画面１１で左カーソルキーを押した場合は操作無効として状態は変わらないようになっているが、右端にある設定画面１４の状態に遷移して循環するようにしてもよい。
【００１６】
また、選択されていない項目「状態表示」と「システムカラー」において設定されている選択肢の枠の形状や表示色、背景色を、選択状態の「画面設定」の選択肢の枠形状等を変えることのより、操作できる項目ではないが設定されている値をユーザに知らせることができる。
【００１７】
「時計表示」の設定値を選択している設定画面１１から設定画面１４のいずれかの状態から下カーソルキーを押すと、項目が「状態表示」に移り、設定画面１５のような表示に変わる。この場合、選択肢が２つのみで文字数も２文字で短いため非選択状態の項目名も省略しないで表示することが可能であり、あえて省略する必要はないので省略しないで表示するようになっている。
【００１８】
同様に左右カーソルキーを押すことで選択状態にある選択肢を変更することができ、設定画面１５の状態から右カーソルキーを押すと、設定画面１６のように選択状態の選択肢が「あり」から「なし」に変わる。
【００１９】
「状態表示」の設定値を選択している設定画面１５あるいは設定画面１６の状態から下カーソルキーを押すと、項目が「システムカラー」に移り、設定画面１７のような表示に変わる。時計表示や状態表示の場合と同様に左右カーソルキーを押すことで選択状態にある選択肢を変更することができる。設定する項目の上カーソルキーを押すとそれぞれ逆方向に遷移して設定する項目を変えることができるようになっている。
【００２０】
選択する項目が上端または下端で上カーソルキーまたは下カーソルキーを押した場合は操作無効として状態は変わらないようにしても良いし、下端または上端にある項目に遷移して循環するようにしてもよい。また、項目が３個以上あり一画面では表示できない場合は画面をスクロールするようにしてもよい。また、項目に番号を付加し数字キーを押した場合は押した数字に対応する項目に選択状態が遷移するようにしてもよい。
【００２１】
選択状態の選択肢を非選択状態の選択肢と区別する方法としては、背景色、表示色、字体、フォントなどを変えたり、枠や矢印などのポインタを表示させたり、点滅などをさせて区別するようにしてもよい。
【００２２】
非選択状態の選択肢の表示方法としては、上記実施形態では表示する文字を省略する方法を用いているが、図３（ａ）や図３（ｂ）のように枠だけを表示し、選択肢の個数のみが分かるようにしてもよい。また、図３（ｃ）の選択肢５２のように表示する文字数が少ない項目は全ての文字を表示し、文字数が多い項目は図３（ａ）や図３（ｂ）のように枠だけを表示する、というように組合せて表示しても良い。さらに、色を選択する場合などは、図３（ｃ）の選択肢５３のようにその色を表示させたり、選択肢５４のように内容を表すアイコンを表示するようにしてもよい。
【００２３】
本メニュー選択方式は、選択肢の選択時だけでなく図４のようにタブの切換えなどに適用してもよい。適用箇所やモードなどの異なる状況でそれぞれ別の値を設定することが可能であり、タブ表示など視覚的な表示を利用して適用箇所やモードなどを切換えるような場合に、一列に多くのタブを表示したいときにも効果的にタブを表示することが可能である。
【００２４】
また、例えば、図４にあるように音量０のとき選択状態にあるときは「サイレント」または「無音」のように具体的に表現するが、非選択時の省略時は他の選択肢と合わせて「０」と表示するように意味としては同じであれば共通な文字を含まないような別の表現に変えてもよい。
【００２５】
上下カーソルキーで設定したい項目を選択し、左右カーソルキーで選択する値を変更する操作を行なうことで、所望の設定値に表示内容を変更したら、実行キー２７を押すことで値が更新されるとともにメニュー表示を終了する。
【００２６】
以上説明したように本実施形態によれば、メニューを表示して選択肢の中から設定値を選択して設定する場合に、限られた表示領域の中で非選択状態の選択肢の個数や内容を把握しながら選択することが可能になり、メニュー表示に必要な領域が少なくて済むために複数の項目の設定値を同時に確認するようになり、またメニュー画面の遷移回数も少なくなるため操作性や使いやすさの向上を図ることが可能になる。
【００２７】
【発明の効果】
本発明によれば、ユーザの使い勝手を向上した表示方法および通信端末を提供することができる。
【図面の簡単な説明】
【図１】端末装置の構成を示す図である。
【図２】通信端末でのメニュー操作および画面表示例を示す図である。
【図３】本発明の一実施形態に係るメニュー選択方式を用いたメニュー設定画面の別の画面表示例の図である。
【図４】本発明の一実施形態に係るメニュー選択方式をタブ選択表示に適用した画面表示例の図である。
【符号の説明】
１１〜１９  設定画面例
２１  表示部
２２  テンキー
２３  上カーソルキー
２４  下カーソルキー
２５  左カーソルキー
２６  右カーソルキー
２７  実行キー
【図１】
2005025540.tif 000003
【図２】
2005025540.tif 000004
【図３】
2005025540.tif 000005
【図４】
2005025540.tif 000006